(57)【要約】【課題】ユーザが面倒な操作を行なうことなく、マルチビューディスプレイを利用したシステムにおいて再生される音声が不快に聞こえてしまう不都合を抑制できるような「音場設定装置および音場設定方法」を提供する。【解決手段】デュアルビューディスプレイ６０の何れの観察方向に対する表示画面に対してどのＡＶソースが選択されているかの使用状況を検出する使用状況検出部４００ａと、その検出結果に応じて音場の定位位置を変化させる音場制御部４００ｂとを備え、例えば助手席側でＤＶＤ映像等の動画ソースが選択されたことが使用状況検出部４００ａにて検知されたときに、音場制御部４００ｂが助手席側に音場を定位するように制御することにより、ユーザが手動で音場の設定をすることなく、ＤＶＤ映像を視聴する助手席のユーザにとって快適な音を得ることができるようにする。【選択図】        図１
2007295425.tif 000002
【特許請求の範囲】
【請求項１】
観察する方向によらず同じ映像を見ることができるように成されたシングルビュー表示、および観察する方向により異なる映像を見ることができるように成されたマルチビュー表示が可能な表示部を備えたオーディオ・ビジュアルシステムに適用される音場設定装置であって、
上記表示部の何れの観察方向に対する表示画面に対してどのオーディオ・ビジュアルソースが選択されているかの使用状況を検出する使用状況検出部と、
上記使用状況検出部による検出の結果に応じて、音場の定位位置を変化させる音場制御部とを備えたことを特徴とする音場設定装置。
【請求項２】
上記表示部において上記マルチビュー表示が行われていて、一の観察方向に対する表示画面に対して動画ソースが選択されていることが上記使用状況検出部により検出されたときに、上記音場制御部は、上記一の観察方向に音場の定位位置を設定することを特徴とする請求項１に記載の音場設定装置。
【請求項３】
上記表示部において上記マルチビュー表示が行われていて、どの観察方向に対する表示画面でも音声ソースが選択されていることが上記使用状況検出部により検出されたときに、上記音場制御部は、複数の観察方向の略中心に音場の定位位置を設定することを特徴とする請求項１に記載の音場設定装置。
【請求項４】
上記表示部において上記シングルビュー表示が行われていることが上記使用状況検出部により検出されたときに、上記音場制御部は、複数の観察方向の略中心に音場の定位位置を設定することを特徴とする請求項１に記載の音場設定装置。
【請求項５】
複数の観察方向におけるユーザの存否を検出するユーザ検出部を備え、
上記音場制御部は、上記使用状況検出部による検出の結果および上記ユーザ検出部による検出の結果に応じて、音場の定位位置を変化させることを特徴とする請求項１に記載の音場設定装置。
【請求項６】
一の観察方向にユーザが存在していないことが上記ユーザ検出部により検出されたときに、上記音場制御部は、上記一の観察方向とは異なる方向に音場の定位位置を設定することを特徴とする請求項５に記載の音場設定装置。
【請求項７】
観察する方向によらず同じ映像を見ることができるように成されたシングルビュー表示、および観察する方向により異なる映像を見ることができるように成されたマルチビュー表示が可能な表示部の何れの観察方向に対する表示画面に対してどのオーディオ・ビジュアルソースが選択されているかの使用状況を検出する第１のステップと、
上記第１のステップでの検出の結果に応じて、音場の定位位置を変化させる第２のステップとを有することを特徴とする音場設定方法。
【発明の詳細な説明】
【技術分野】
【０００１】
本発明は、音場設定装置および音場設定方法に関し、特に、いわゆるマルチビューディスプレイを備えたオーディオ・ビジュアルシステムにおいて音場の設定を制御する装置および方法に用いて好適なものである。
【背景技術】
【０００２】
従来、１つの表示装置において観察する方向により異なる映像を見ることができるように成されたデュアルビューディスプレイが提供されている（例えば、特許文献１参照）。例えば、デュアルビューディスプレイをカーナビゲーションシステムの車載用表示装置として用いた場合、運転席側にはナビゲーション映像を表示し、助手席側にはテレビ映像やＤＶＤ（Digital Versatile Disk）映像などを表示することが可能となる。
【特許文献１】特開２００５−７１２８６号公報
【０００３】
デュアルビューディスプレイを実現する技術として、視差バリアを用いたものや、レンチキュラーレンズを用いたものが存在する。図３は、視差バリアを用いたデュアルビューディスプレイの原理を説明するための図である。図３に示すように、デュアルビューディスプレイは、スイッチ液晶１０１とＴＦＴ（Thin Film Transistor）液晶１０２との組み合わせにより構成されている。
【０００４】
スイッチ液晶１０１には、光学的な視差バリア１０３が等しい間隔を空けて複数設けられている。視差バリア１０３は、光（液晶のバックライト）の進行方向を制御し、左右の観察位置１０６，１０７に異なる光が届くように光を分離している。また、ＴＦＴ液晶１０２では、交互に配置された左用画素群１０４と右用画素群１０５とにそれぞれ左用画像と右用画像とを交互に表示している。
【０００５】
視差バリア１０３を通過して左用画素群１０４を通った光は左の観察位置１０６に届き、視差バリア１０３を通過して右用画素群１０５を通った光は右の観察位置１０７に届く。これにより、１つのＴＦＴ液晶１０２の表示画面上において、観察する方向により異なる映像を見ることができるようになる。
【０００６】
ところで、液晶表示パネルを用いた機器にあっては、リモートコントローラの操作に限らず、液晶表示パネルに表示される映像をタッチパネルの操作によって操作することができるものがある。タッチパネルは、液晶表示パネルの前面に重ね合わされるものであり、液晶表示パネルに表示される動作選択の指示に応じたバーやキースイッチ等にタッチすることで、タッチ操作コントロールを行なうことができる。
【０００７】
上述のデュアルビューディスプレイにもタッチパネルを適用することが可能である。ただし、この場合は、デュアルビューディスプレイの特徴である“左右独立表示”と合わせて、運転者と助手席の同乗者とがそれぞれ用に表示された映像に対する操作を独立して行なえるようにする必要がある。また、タッチパネルにタッチした者が運転者であるか同乗者であるかを識別し、そのタッチパネルの操作を運転者または同乗者が視聴している映像に対応させる必要もある。
【０００８】
上記特許文献１に記載の発明では、タッチ操作が何れの映像に対して有効であるかの判断を容易かつ確実に行なうための工夫が成されている。すなわち、タッチパネルに視聴者Ａタッチ専用エリアおよび視聴者Ｂタッチ専用エリアを設けておき、どちらのエリアがタッチされたのかを判断して、タッチされた側のエリアに対応する映像の操作メニューを表示するようにしている。
【０００９】
しかしながら、上記特許文献１を含む従来の技術では、デュアルビューの表示映像とタッチパネルにタッチした操作者とを連動させる仕組みは考えられているものの、デュアルビューの表示映像と音声とを連動させる仕組みに関しては考慮されていない。そのため、デュアルビューの使用状況に合わせた音場の設定が適切に行われず、音が不快に聞こえてしまうことがあるという問題があった。
【００１０】
例えば、最初は表示画面にナビゲーション映像を表示するとともに、運転者がＣＤ（Compact Disc）等の音楽を良好に聴くことができるようにするために運転席に音場が最適化されていたとする。この状況において、デュアルビュー表示に切り替えて、助手席側でＤＶＤを再生したとする。この場合、助手席側の表示画面にはＤＶＤ映像が表示されるものの（運転席側の表示画面にはナビゲーション映像が表示されている）、音場は運転席に最適化されたままであり、ＤＶＤを見る助手席側ではＤＶＤの音声が不快に聞こえてしまう。
【００１１】
このような場合、音場の設定を手動で切り替えることはできるが、手間が生じて面倒であるという問題があった。なお、音場の設定を自動で行なう方法も提供されている（例えば、特許文献２参照）。この方法によれば、表示される映像画面の大きさおよび配置に応じて、それぞれの映像画面の音量および音声定位を調整することができる。
【特許文献２】特開２０００−６９３９１号公報
【発明の開示】
【発明が解決しようとする課題】
【００１２】
しかしながら、特許文献２に記載の技術は、１つの表示画面の中に複数の子画面を表示するマルチ画面表示に関するものであり、子画面の表示位置や大きさの設定が可変で、その設定状況に応じて音場を自動的に設定している。したがって、子画面の概念がなく、表示位置も表示サイズも常に固定のデュアルビューディスプレイにこの特許文献２の技術を適用したとしても、音場の設定を自動的に切り替えることはできない。
【００１３】
本発明は、このような問題を解決するために成されたものであり、ユーザが面倒な操作を行なうことなく、マルチビューディスプレイを利用したシステムにおいて再生される音声が不快に聞こえてしまう不都合を抑制できるようにすることを目的とする。
【課題を解決するための手段】
【００１４】
上記した課題を解決するために、本発明では、シングルビュー表示およびマルチビュー表示が可能な表示部を備えたオーディオ・ビジュアルシステムに適用される音場設定装置において、表示部の何れの観察方向に対する表示画面に対してどのオーディオ・ビジュアルソースが選択されているかの使用状況によって音場の設定を切り替えるようにしている。
【発明の効果】
【００１５】
上記のように構成した本発明によれば、表示部の使用状況に合わせて適切な音場が自動的に設定されるため、ユーザは音場の設定を手動で切り替えるための操作をする必要がなく、ユーザの手間を省くことができるとともに、快適な音を得ることができる。
【発明を実施するための最良の形態】
【００１６】
以下、本発明の一実施形態を図面に基づいて説明する。図１は、本発明による音場設定装置を実施したＡＶ（Audio Visual）システムの構成例を示す図である。図１に示すように、本実施形態のＡＶシステム１０は、ナビゲーションコントロールユニット２０、ＡＶコントロールユニット３０、映像選択部４０、表示制御部５０、表示装置（デュアルビューディスプレイ）６０、音声選択部７０、音声制御部８０、スピーカ９０、モーションセンサ２００、着座検出センサ３００およびコントローラ４００を備えて構成されている。コントローラ４００は、本発明の音場設定装置を構成するものであり、その機能構成として、使用状況検出部４００ａおよび音場制御部４００ｂを備えている。
【００１７】
ナビゲーションコントロールユニット２０は、自立航法センサやＧＰＳ受信機などを用いて車両の現在位置を検出し、自車位置近傍の地図データを記録媒体から読み出して画面上に表示したり、音声によって経路をアナウンスしたりすることによって走行案内を行なうものである。このナビゲーションコントロールユニット２０からは地図画像データおよびナビ音声データが出力される。地図画像データは映像選択部４０に供給され、ナビ音声データは音声選択部７０に供給される。
【００１８】
ＡＶコントロールユニット３０は、ＤＶＤに記憶されているＤＶＤ画像データやＤＶＤ音声データを再生して出力したり、テレビ放送の電波を受信して処理することによりＴＶ画像データやＴＶ音声データを出力したり、ＣＤに記録されている音楽データをもとに曲を再生してＣＤ音声データを出力したりするものである。ＤＶＤ画像データおよびＴＶ画像データは映像選択部４０に供給され、ＤＶＤ音声データ、ＴＶ音声データおよびＣＤ音声データは音声選択部７０に供給される。
【００１９】
映像選択部４０は、ナビゲーションコントロールユニット２０から出力される地図画像データ、ＡＶコントロールユニット３０から出力されるＤＶＤ画像データ、ＴＶ画像データを入力し、これらの中から何れか１つまたは２つを選択的に出力する。表示制御部５０は、映像選択部４０から出力された画像データに基づいて、デュアルビューディスプレイ６０に対して表示に必要な画像データを出力することにより、デュアルビューディスプレイ６０に地図やＤＶＤ映像、ＴＶ映像を表示させる。
【００２０】
デュアルビューディスプレイ６０は、表示パネル６０ａおよびタッチパネル６０ｂを備えている。表示パネル６０ａは、表示制御部５０から出力された画像データに基づき映像を表示するものであり、図３のように構成されていて、観察する方向によらず同じ映像を見ることができるように成されたシングルビュー表示、および観察する方向により異なる映像を見ることができるように成されたデュアルビュー表示を行なうことが可能となっている。
【００２１】
例えば、右座席が運転席の場合、映像選択部４０にて地図画像データとＤＶＤ画像データとを選択し、左用画素群１０４にＤＶＤ画像データを出力するとともに、右用画素群１０５に地図画像データを出力することにより、助手席側にはＤＶＤ映像を表示し、運転席側にはナビゲーション映像を表示することが可能となる（デュアルビュー表示）。
【００２２】
一方、シングルビュー表示は、例えば特許文献１に記載されているような手段によって実現することが可能である。すなわち、液晶層に印加される電界の強さに応じて視差バリアの形成の有無を制御できるようにし、視差バリアを消すことによってシングルビュー表示とする。なお、運転席側と助手席側とで同じ画像データを選択し、それを左用画素群１０４にも右用画素群１０５にも出力することにより、運転席と助手席の両方から同じ映像を見ることができるようにすることも可能であるが、本実施形態ではこれをデュアルビュー表示として扱うものとする。
【００２３】
タッチパネル６０ｂは、表示パネル６０ａの前面に重ね合わされ、ユーザによるタッチ操作を検出する。ここで、タッチパネル６０ａをユーザが触れたか否かを検出するためには、例えば抵抗膜方式や赤外線方式等が使用される。また、タッチパネル６０ｂは、当該パネルへのユーザのタッチ位置を検出してその座標データを出力する。
【００２４】
音声選択部７０は、ナビゲーションコントロールユニット２０から出力されるナビ音声データ、ＡＶコントロールユニット３０から出力されるＤＶＤ音声データ、ＴＶ音声データ、ＣＤ音声データを入力し、これらの中から何れか１つを選択的に出力する。音声制御部８０は、音声選択部７０から出力された音声を増幅し、増幅された音声をスピーカ９０から出力する。
【００２５】
スピーカ９０は、例えば運転席側の右スピーカ９０ａ、助手席側の左スピーカ９０ｂ、後部座席側の後部スピーカ９０ｃから成っている。音声制御部８０は、コントローラ４００の音場制御部４００ｂからの指示に従って、３つのスピーカ９０ａ，９０ｂ，９０ｃに出力する音声の音量や出力タイミング等を変えることにより、所定の位置に音場を形成する。音場の定位位置の制御に関する詳細な内容は後述する。
【００２６】
モーションセンサ２００は、タッチパネル６０ｂに対するタッチ操作の操作者が運転者であるか同乗者であるかを検出するものである。モーションセンサ２００は、操作者の３次元的な動きを検出するものであり、様々な手段により実現することが可能である。例えば、タッチパネル６０ｂの付近に赤外線を照射して、その赤外線照射エリア内で操作者の手が動く際に起こる赤外線の変化を検出することにより、運転席側と助手席側とのどちらの方から操作者の手が赤外線照射エリアに入ったかをみて、操作者が運転者であるか同乗者であるかを検出することが可能である。
【００２７】
なお、ここでは赤外線を用いる例について説明したが、可視光線や超音波などを用いても良い。また、カメラを設置してタッチパネル６０ｂの付近を撮影し、撮影された画像データを認識処理することによって操作者の判別を行なうようにすることも可能である。また、運転席用のメニューと助手席用のメニューとを画面内の異なる位置に表示し、どちらのメニューに対する操作かをタッチ位置の座標データに基づいて判定するようにしても良い。このようにすれば、モーションセンサ２００を用いることなく、タッチパネル６０ｂにタッチした者が運転者であるか同乗者であるかを識別することが可能である。
【００２８】
着座検出センサ３００は、助手席に同乗者が着座しているか否かを検出するものであり、本発明のユーザ検出部に相当する。着座検出センサ３００としては、例えば、助手席に設置した圧力センサや重量センサ、人体温度を検出する熱感知センサ等により構成することが可能である。また、カメラを設置して助手席付近を撮影し、撮影された画像データを認識処理することによって同乗者の有無を判別するようにすることも可能である。また、助手席付近に赤外線を照射して、助手席付近における赤外線の反射波の変化を検出することによって同乗者の有無を判定するようにしても良い。なお、同乗者が着座しているか否かを検出できるものであれば、以上に述べた各手段に限らず、どのようなものであってもよい。
【００２９】
コントローラ４００は、ＡＶシステム１０の全体を制御する。このコントローラ４００は、例えば、ＣＰＵ、ＲＯＭおよびＲＡＭから成るマイクロコンピュータにより構成されている。ＲＯＭには、音場設定装置１０を制御するための各種プログラムが記憶されている。ＣＰＵは、ＲＯＭに記憶されている各種プログラムに従って、ＲＡＭをワークメモリとして使用しながら各種の制御を実行する。
【００３０】
例えば、コントローラ４００は、タッチパネル６０ｂの操作を通じてユーザにより選択されたＡＶソースを再生するように、ナビゲーションコントロールユニット２０およびＡＶコントロールユニット３０の動作を制御する。また、コントローラ４００は、再生されたＡＶソースの画像データを表示パネル６０ａにシングルビュー表示またはデュアルビュー表示するように、映像選択部４０および表示制御部５０の動作を制御する。シングルビュー表示とするかデュアルビュー表示とするかも、タッチパネル６０ｂの操作を通じてユーザにより選択される。また、コントローラ４００は、再生されたＡＶソースの音声データをスピーカ９０から出力するように、音声選択部７０および音声制御部８０の動作を制御する。
【００３１】
また、コントローラ４００は、使用状況検出部４００ａおよび音場制御部４００ｂを有し、以下に述べるような本実施形態に特有の制御も実行する。使用状況検出部４００ａは、デュアルビューディスプレイ６０の何れの観察方向に対する表示画面に対してどのＡＶソースが選択されているかの使用状況を検出するものである。すなわち、デュアルビューディスプレイ６０においてデュアルビュー表示およびシングルビュー表示のどちらが行われているのか、デュアルビュー表示の場合はどちらの表示画面でどのＡＶソースが選択されているのか、シングルビュー表示の場合はどのＡＶソースが選択されているのかを検出する。
【００３２】
どのＡＶソースが選択されているのかということに関しては、具体的には、選択されているＡＶソースが動画ソースであるか、音声ソースであるかを検出する。ここで言う動画ソースとは、ＤＶＤやＴＶのように動画の出力を伴うＡＶソースのことである。また、音声ソースとは、ＣＤのように動画の出力はなく、音声のみ、または音声と静止画（曲名、アーティスト名等）を出力するＡＶソースのことである。なお、カーナビゲーションの場合は地図画像が表示されるが、これは動画ではない。よって、カーナビゲーションは案内音声を出力する音声ソースとして扱うものとする。
【００３３】
上述のように、コントローラ４００は、デュアルビュー表示かシングルビュー表示かの選択、ＡＶソースの選択を自身で制御している。例えば、この制御状態を表すステータス情報を内部のレジスタ（図示せず）などに保持しておき、このステータス情報を参照することにより、デュアルビューディスプレイ６０の使用状況を検出することが可能である。
【００３４】
音場制御部４００ｂは、使用状況検出部４００ａおよび着座検出センサ３００の検出結果に応じて、音声制御部８０からスピーカ９０に出力される音声の音量や出力タイミング等を制御することにより、音場の定位位置を変化させる。具体的には、デュアルビュー表示が行われていて、例えば助手席（本発明による一の観察方向に相当する）の表示画面に対して動画ソースが選択されていることが使用状況検出部４００ａにより検出されたときに、音場制御部４００ｂは、助手席に音場の定位位置を設定するように音声制御部８０を制御する。例えば、運転席側の表示画面にナビゲーション映像が表示され、助手席側の表示画面にＤＶＤ映像が表示されているときなどがこれに該当する。
【００３５】
ただし、助手席に同乗者が着座していないことが着座検出センサ３００により検出されたときに、音場制御部４００ｂは、助手席の表示画面に対して動画ソースが選択されていることが使用状況検出部４００ａにより検出されていても、助手席とは異なる方向（例えば運転席、または運転席および助手席の略中心）に音場の定位位置を設定する。例えば、デュアルビュー表示にて助手席の表示画面にＤＶＤ映像を表示していたところ、助手席の同乗者が車両から下車したようなときがこれに該当する。この場合にコントローラ４００は、ＤＶＤの再生を自動的に停止してシングルビュー表示に切り替えるようにしても良い。
【００３６】
なお、車両の停車中であれば、運転席の表示画面に対して動画ソースを選択することも可能である。そこで、例えばデュアルビュー表示が行われていて、運転席の表示画面に対してのみ動画ソースが選択されていることが使用状況検出部４００ａにより検出されたときは、音場制御部４００ｂは、運転席に音場の定位位置を設定するように音声制御部８０を制御する。
【００３７】
また、シングルビュー表示にて音声ソースが選択されていること、または、マルチビュー表示が行われていて、運転席および助手席の双方で音声ソースが選択されていることが使用状況検出部４００ａにより検出されたときに、音場制御部４００ｂは、運転席および助手席（本発明による複数の観察方向に相当する）の略中心に音場の定位位置を設定するように音声制御部８０を制御する。例えば、ナビゲーション映像のシングルビュー表示が行われていてＣＤが再生されているとき、デュアルビュー表示で運転席側と助手席側の双方にナビゲーション映像が表示されていてＣＤが再生されているときなどがこれに該当する。
【００３８】
なお、シングルビュー表示にて動画ソースが選択されているときも、運転席および助手席の略中心に音場の定位位置を設定するように制御する。また、シングルビュー表示にて動画ソースが選択されていて、かつ、助手席に同乗者が着座しているときには、助手席に音場の定位位置を設定するようにしても良い。
【００３９】
次に、上記のように構成した本実施形態によるコントローラ４００（音場設定装置）の動作を説明する。図２は、本実施形態による音場設定装置の動作例を示すフローチャートである。図２において、音場制御部４００ｂは、現在デュアルビューディスプレイ６０でデュアルビュー表示が行なわれているか否かを使用状況検出部４００ａの検出結果によって判定する（ステップＳ１）。ここで、デュアルビュー表示が行なわれていると判定した場合には、音場制御部４００ｂは、動画ソースが選択されているか否かを使用状況検出部４００ａの検出結果によって判定する（ステップＳ２）。
【００４０】
ここで、動画ソースが選択されていると判断した場合には、音場制御部４００ｂは、その動画ソースが助手席側で選択されているか否かを使用状況検出部４００ａの検出結果によって判定する（ステップＳ３）。動画ソースが助手席側で選択されていると判断した場合、音場制御部４００ｂは、助手席に同乗者が着座しているか否かを着座検出センサ３００の検出結果によって判定する（ステップＳ４）。
【００４１】
そして、助手席に同乗者が着座していると判断した場合、音場制御部４００ｂは、助手席に音場を設定する（ステップＳ５）。一方、助手席に同乗者が着座していないと判断した場合、音場制御部４００ｂは、運転席と助手席との略中心の位置に音場を設定する（ステップＳ６）。なお、このときにコントローラ４００は、助手席側で選択されている動画ソースの再生を自動的に停止してシングルビュー表示に切り替えるようにしても良い。
【００４２】
また、ステップＳ１でデュアルビュー表示が行なわれていない（つまり、シングルビュー表示が行なわれている）と判断された場合、およびステップＳ２で動画ソースが選択されていない（つまり、音声ソースが選択されている）と判断された場合には、音場制御部４００ｂは、助手席に同乗者が着座しているか否かを着座検出センサ３００の検出結果によって判定する（ステップＳ７）。
【００４３】
ここで、助手席に同乗者が着座していると判断した場合、音場制御部４００ｂは、運転席と助手席との略中心の位置に音場を設定する（ステップＳ６）。一方、助手席に同乗者が着座していないと判断した場合、音場制御部４００ｂは、運転席に音場を設定する（ステップＳ８）。また、ステップＳ３で動画ソースが助手席側で選択されていないと判断された場合も、音場制御部４００ｂは、運転席に音場を設定する（ステップＳ８）。
【００４４】
以上詳しく説明したように、本実施形態によれば、デュアルビューディスプレイ６０のどの観察方向に対する表示画面に対してどのＡＶソースが選択されているかの使用状況によって音場の設定を切り替えるようにしている。これにより、デュアルビューディスプレイ６０の使用状況に合わせて適切な位置に音場が自動的に定位するようになるため、ユーザは音声を快適に聴くことができる。また、ユーザが手動で音場の設定を操作しなければならないという手間を回避することができる。
【００４５】
例えば、助手席側でＤＶＤ映像等の動画ソースが選択されたことが使用状況検出部４００ａにて検知されると、音場制御部４００ｂによって、助手席側に音場が設定される。これにより、助手席のユーザが手動で音場を設定するといった面倒な操作を行なうことなく、ＤＶＤ映像を視聴する助手席のユーザにとって快適な音を得ることができるようになる。
【００４６】
また、本実施形態では、助手席の同乗者が着座しているか否かを検出し、着座していない場合には、助手席とは異なる位置に音場の定位位置を設定するようにしている。これにより、助手席で動画ソースが選択されていても、助手席に同乗者が座っていないような場合（同乗者が途中で降りたような場合）には、助手席以外の適切な位置に音場が定位するようになる。着座検出センサ３００を設けることは必須ではないが、これを設けることにより、デュアルビューディスプレイ６０の使用状況に加えて、同乗者の存否に合わせて音場が設定されるようになるため、より適切な位置に音場を自動的に設定することができる。
【００４７】
なお、上記実施形態では、着座検出センサ３００を助手席側にのみ設ける例について説明したが、これに限定されない。同乗者を残して運転者が一時的に車両を降りるような場合も存在するので、運転席側と助手席側との両方に着座検出センサ３００を設けるようにしても良い。この場合、運転者が着座していないことが使用状況検出部４００ａにより検出されたときに、音場制御部４００ｂは、運転席以外の位置に音場を設定する。
【００４８】
また、上記実施形態では、運転席と助手席との略中心の位置に音場を設定する例について説明したが、これに限定されない。例えば、運転席と助手席と後部座席との略中心の位置に音場を設定するようにしても良い。
【００４９】
また、上記実施形態では、デュアルビュー表示とシングルビュー表示との切り替えやＡＶソースの選択をタッチパネル６０ｂの操作によって行なう例について説明したが、これに限定されない。例えば、タッチパネル６０ｂの代わりに、タクトスイッチ等のメカニカルスイッチや、リモートコントローラを用いることも可能である。
【００５０】
また、上記実施形態では、１つの表示パネル６０ａにおいて観察する方向により異なる２つの映像を見ることができるように成されたデュアルビューディスプレイ６０の例について説明したが、異なる３つ以上の映像を見ることができるように成されたマルチビューディスプレイにも適用が可能である。
【００５１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５２】
本発明の音場設定装置および音場設定方法は、観察する方向により異なる映像を見ることができるように成されたマルチビュー表示が可能なマルチビューディスプレイを備えたオーディオ・ビジュアルシステムにおいて有用である。
【図面の簡単な説明】
【００５３】
【図１】本発明による音場設定装置を実施したＡＶシステムの構成例を示す図である。
【図２】本実施形態によるコントローラ（音場設定装置）の動作例を示すフローチャートである。
【図３】デュアルビューディスプレイの原理を示す図である。
【符号の説明】
【００５４】
１０  ＡＶシステム
２０  ナビゲーションコントロールユニット
３０  オーディオコントロールユニット
４０  映像選択部
５０  表示制御部
６０  表示装置
６０ａ  表示パネル
６０ｂ  タッチパネル
７０  音声選択部
８０  音声制御部
９０  スピーカ
２００  モーションセンサ
３００  着座検出センサ
４００  コントローラ
４００ａ  使用状況検出部
４００ｂ  音場制御部
【図１】
2007295425.tif 000003
【図２】
2007295425.tif 000004
【図３】
2007295425.tif 000005